(57)【要約】【課題】演奏補助機能を有していないフルート等のエアリード楽器に取付けることができ、演奏スキルの乏しい演奏者がフルートを演奏することを補助する演奏補助具を提供する。【解決手段】フルート１００の唄口１０３に演奏者の呼気を誘導する流路を有する管状の流路形成部２と、フルート１００に着脱可能に取付けられる第一固定部３及び第二固定部５と、第一固定部３及び第二固定部５と連結し流路形成部２をその軸方向Ｃに位置を調節可能に支持する支持部７とを有する演奏補助具１である。【選択図】図１
2019124836.tif 000002
【特許請求の範囲】
【請求項１】
エアリード楽器の唄口に演奏者の呼気が誘導される流路を有する管状の流路形成部と、
前記エアリード楽器に着脱可能に取付けられる固定部と、
前記固定部と連結し前記流路形成部がその軸方向に位置を調節可能に支持される支持部とを有することを特徴とする演奏補助具。
【請求項２】
前記固定部は、前記エアリード楽器と当接する面に保護層を有することを特徴とする、請求項１に記載の演奏補助具。
【請求項３】
前記固定部は、エアリード楽器の一端側に取付けられる第一固定部と、他端側に取付けられる第二固定部とを有することを特徴とする、請求項１又は請求項２に記載の演奏補助具。
【請求項４】
前記固定部は、前記流路形成部が所定の角度と高さで支持されるように形成されていることを特徴とする、請求項１〜請求項３のいずれか１項に記載の演奏補助具。
【請求項５】
前記支持部は、前記流路形成部が前記固定部から所定の角度と高さで支持されるように形成されていることを特徴とする、請求項１〜請求項３のいずれか１項に記載の演奏補助具。
【発明の詳細な説明】
【技術分野】
【０００１】
本発明は、フルートなどのエアリード楽器に用いられる演奏補助具に関する。
【背景技術】
【０００２】
エアリードで発音するいわゆるエアリード楽器であるフルートの演奏者は、フルートの頭部管に設けられたリッププレートに下唇を押し当てながら、特定の唇の形（アンブシュア）を作り、リッププレートに設けられた唄口の下唇と接触している側とは反対側のエッジに、呼気を吹き付けるようにして演奏する。
【０００３】
しかし、アンブシュアを作ることは、演奏者の演奏スキルに大きく依存する。このため、初心者などの演奏スキルの乏しい演奏者がフルートを演奏することは困難であることから、初心者でも演奏することができる演奏補助機能付きのフルートが提案されている。
【０００４】
例えば特許文献１には、演奏者の呼気をエッジに適切に供給させる流路であるウインドウェイが形成されているウインドウェイ形成部が、リッププレートに設けられたフルートが記載されている。特許文献１のフルートによれば、演奏者の呼気がウインドウェイ形成部によりエッジに導かれるため、初心者であっても、容易に演奏を行うことができる。
【先行技術文献】
【特許文献】
【０００５】
【特許文献１】特開２０１７−０６８１１０号公報
【発明の概要】
【発明が解決しようとする課題】
【０００６】
しかし、特許文献１のフルートは、ウインドウェイ形成部をリッププレートに固定するために、ウインドウェイ形成部のリッププレートと当接する側に、リッププレートに設けられた溝に嵌る突起が設けられている。この構造により、特許文献１のフルートのウインドウェイ形成部は、ウインドウェイ形成部の突起が嵌る溝を有しない通常のフルートに取付けることができない。そのため、演奏スキルの乏しい演奏者が、ウインドウェイ形成部を使おうとすると、既にフルートを所有していたとしても、特許文献１のフルートを用意する必要があり、負担が大きい。
【０００７】
本発明が解決しようとする課題は、演奏補助機能を有していないフルート等のエアリード楽器に取付けることができ、演奏スキルの乏しい演奏者がフルートを演奏することを補助する演奏補助具を提供することである。
【課題を解決するための手段】
【０００８】
上記課題を解決するために、本発明に係る演奏補助具は、エアリード楽器の唄口に演奏者の呼気を誘導する流路を有する管状の流路形成部と、前記エアリード楽器に着脱可能に取付けられる固定部と、前記固定部と連結し前記流路形成部をその軸方向に位置を調節可能に支持する支持部とを有するものである。
【０００９】
前記固定部は、前記エアリード楽器と当接する面に保護層を有することが好ましい。
【００１０】
前記固定部は、エアリード楽器の一端側に取付けられる第一固定部と、他端側に取付けられる第二固定部とを有することが好ましい。
【００１１】
前記固定部は、前記流路形成部が所定の角度と高さで支持されるように形成されていることが好ましい。
【００１２】
前記支持部は、前記エアリード楽器の前記唄口に前記演奏者の前記呼気を吹き付けられるように、前記流路形成部が前記固定部から所定の角度と高さで支持されるように形成されていることが好ましい。
【発明の効果】
【００１３】
本発明に係る演奏補助具は、演奏補助機能を有していないエアリード楽器に取付けることができ、演奏スキルの乏しい演奏者がエアリード楽器を演奏することを補助することができる。
【図面の簡単な説明】
【００１４】
【図１】本実施形態の演奏補助具の構成を示す斜視図である。
【図２】図１に示す演奏補助具の固定部のＡ−Ａ線（Ｄ−Ｄ線）断面図である。
【図３】（ａ）は、図１に示す演奏補助具の支持部のＢ-Ｂ線断面図であり、（ｂ）は、その他の形態の支持具のＢ-Ｂ線断面図である。
【図４】本実施形態の流路形成部とフルートの位置関係を示す説明図である。
【図５】（ａ）は、その他の実施形態の固定部の断面図であり、（ｂ）は、支持部の断面図である。
【図６】その他の実施形態の支持部の断面図である。
【図７】その他の実施形態の固定部の断面図である。
【図８】（ａ）は、本実施形態の演奏補助具が取付けられるフルートの平面図であり、（ｂ）は側面図である。
【発明を実施するための形態】
【００１５】
〔第１実施形態〕
以下、本発明に係る演奏補助具の第１実施形態について添付図面を参照しつつ説明する。
本実施形態に係る演奏補助具１は、図１に示すように、エアリード楽器であるフルート１００に取り付けられて、演奏者によるフルートの演奏を補助するためのものである。
まず、本発明の演奏補助具１が取り付けられるフルート１００ついて説明し、その後に本発明の演奏補助具１について説明する。
【００１６】
なお、図８（ａ）に示すように、フルート１００の長さ方向Ｘの後述する頭部管１０１側を一端側Ｘ１とし、足部管１０７側を他端側Ｘ２とする。
また、図８（ａ）において、長さ方向Ｘと直交する方向を高さ方向Ｙとし、演奏時にフルート１００の後述するエッジ１０４が位置する側を高さ方向Ｙの上側Ｙ１とし、その反対側を下側Ｙ２とする。
さらに、図８（ｂ）に示すように、演奏者がフルート１００を演奏するときに、演奏者とフルート１００が対抗する側を、奥行方向Ｚの前側Ｚ１とし、奥行方向Ｚの前側Ｚ１の反対側を後ろ側Ｚ２とする。
上述した一端側Ｘ１、他端側Ｘ２、上側Ｙ１、下側Ｙ２、前側Ｚ１及び後ろ側Ｚ２は、相対的なものである。
【００１７】
＜フルート１００＞
フルート１００は、図８（ａ）に示すように、演奏者が下唇を当てるリッププレート１０２を有する頭部管１０１と、頭部管１０１と一端側Ｘ１で繋がり複数のキイ１０６を有する胴部管１０５と、胴部管１０５と一端側Ｘ１で繋がり複数のキイ１０８を有する足部管１０７とを有する。
頭部管１０１、胴部管１０５及び足部管１０７は、円筒状に形成されている。
【００１８】
頭部管１０１には、図８（ｂ）に示すように、長さ方向Ｘの中程でかつ奥行方向Ｚの前側Ｚ１にリッププレート１０２が設けられている。頭部管１０１は、リッププレート１０２の周辺に、後述する演奏補助具１をフルート１００に固定するための固定手段を取り付けることができるだけの領域を有している。
【００１９】
リッププレート１０２には、図８（ａ）に示すように、演奏者が息を吹き込む穴である唄口１０３が設けられている。
唄口１０３には、演奏者が下唇を当てている側の唄口１０３の周縁と対向する周縁であるエッジ１０４が形成されている。
演奏者は、エッジ１０４に、適切な角度や量で呼気を吹き当てることにより、音を出すことができる。
【００２０】
＜演奏補助具１＞
次に、本実施形態の演奏補助具１について説明する。
演奏補助具１は、エッジ１０４に演奏者の呼気を適切に吹き当てるためのものである。
具体的には、演奏補助具１は、図１に示すように、エアリード楽器であるフルート１００の唄口１０３の近傍に配置され、演奏者の呼気を唄口１０３のエッジ１０４へ適切に吹き当てるための呼気流路２１を有する流路形成部２と、流路形成部２をフルート１００に取付けるための第一固定部３及び第二固定部５と、第一固定部３及び第二固定部５に所望の角度と高さで流路形成部２を繋げて支持するための支持部７とを有するものである。
【００２１】
演奏補助具１により、呼気流路２１を有する流路形成部２が、呼気流路２１から流出した呼気を、適切な角度や量でエッジ１０４に吹き当てことができる。
以下に、演奏補助具１を構成する要素について説明する。
【００２２】
＜流路形成部２＞
流路形成部２は、唄口１０３のエッジ１０４に吹き当てられる呼気の流路を形成させるためのものである。
流路形成部２は、図１に示すように、対向する前側面２１と後側面２３の２つの面を有する円管状に形成されている。
【００２３】
流路形成部２は、図１に示すように、前側面２１には前側開口２２が設けられ、後側面２３には後側開口２４が設けられている。そして、前側開口２２と後側開口２４が、呼気流路２５により繋がっている。
【００２４】
前側開口２２は、演奏者が使用する際に、演奏者によって呼気が呼気流路２５に吹き込まれる吹き込み口である。
そして、後側開口２４は、演奏者が使用する際に、演奏者によって呼気流路２５に吹き込まれた呼気が吹き出される吹き出し口である。
【００２５】
＜第一固定部３＞
第一固定部３は、流路形成部２をフルート１００に固定するために、フルート１００に取付けられるものである。
第一固定部３は、図１及び図３（ａ）に示すように、第二固定部５より一端側Ｘ１に位置している。
【００２６】
第一固定部３は、図２及び図３（ａ）に示すように、フルート１００に対して、高さ方向Ｙの上側Ｙ１に配置される第一固定片３１と、高さ方向Ｙの下側Ｙ２に配置される第二固定片４１とを有する。さらに、第一固定片３１と第二固定片４１の奥行方向Ｚの後ろ側Ｄの端同士を結束する結束具９１を有する。
【００２７】
第一固定片３１と第二固定片４１は、図２に示すように、フルート１００に取付けられる際の向きが高さ方向Ｙに異なる以外は、その構成が同じであるから、第一固定片３１を例に挙げて、第一固定片３１と第二固定片４１について説明する。
【００２８】
＜第一固定片３１＞
第一固定片３１は、図２に示すように、フルート１００に取付けられた際に、フルート１００と当接している当接部３３と、第一固定片３１を支持部７に連結させるための連結部３２と、結束具９１を掛け止めさせるための掛止部３４とを有する。
当接部３３は、奥行方向Ｚの前側Ｚ１で連結部３２繋がり、奥行方向Ｚの後ろ側Ｚ２で掛止部３４と繋がっている。
【００２９】
当接部３３は、図１に示すように、流路形成部２を安定して固定できる程度の幅で板状に形成されている。
当接部３３は、図１に示すように、長さ方向Ｘの一端側Ｘ１から他端側Ｘ２に向けて見たときに、図２に示すように、リッププレート１０２の近傍の頭部管１０１の円周面と略等しい曲率で円周面状に形成されている。
当接部３３は、フルート１００に取付けられた際に、掛止部３４が連結部３２よりも上側Ｙ１に位置するように形成されている。
当接部３３は、第二固定片４１の当接部４３と共に、フルート１００の頭部管１０１を挟み込むことができる。
【００３０】
連結部３２は、図１に示すように、板状に形成されており、奥行方向Ｚの後ろ側Ｚ２で当接部３３と繋がっている。
連結部３２には、図２及び図３（ａ）に示すように、上面と下面を貫通する穴３５が形成されている。
穴３５は、支持部７と連結する際に、後述する支持部７の第一穴７４，８４、及び第二固定片４１の連結部４２の穴４５と共に、後述するねじ９２を挿入できる第一挿入穴９４を構成する。
第一挿入穴９４に挿入された側と反対側から突出したねじ９２の先端にナット９３を取り付けると、第一固定部３と第二固定部５を支持部７に連結することができる。後述する第二挿入穴９５も同様である。
【００３１】
掛止部３４は、図２に示すように、結束具９１を掛け止めることができるように、上側Ｙ１に開放端を有するフック状に形成されている。
掛止部３４と第二固定片４１の掛止部４４の高さ方向Ｙの間隔は、結束具９１で掛け止めるまでは、フルート１００の頭部管１０１を当接部３３と当接部４３の間に配置させることができる程度に形成されている。
【００３２】
第一固定部３が上述した構成であることにより、演奏者は、掛止部３４と掛止部４４を結束具９１で結束するまでは、流路形成部２のフルート１００に対する周方向の位置を調節することができる。
そして、結束具９１を掛け止めると、掛止部３４は、第二固定片４１の掛止部４４と結束される。これにより、フルート１００は、当接部３３と当接部４３により把持されて、第一固定部３は、フルート１００に固定されることができる。
【００３３】
＜第二固定部５＞
次に、第二固定部５について説明する。
第二固定部５は、流路形成部２をフルート１００に固定するために、フルート１００に取付けられるものである。
第二固定部５は、図１及び図３（ａ）に示すように、第一固定部３より他端側Ｘ２に位置している。
【００３４】
ここで、図２のかっこの中の符号は、図１のＤ−Ｄ線断面図から見た場合の部材を示している。つまり、第二固定部５は、図２に示すように、フルート１００に取付けられる位置が異なる以外は、その構成が第一固定部３と同じである。
具体的には、図２の及び図３（ａ）に示すように、第二固定部５は、第一固定片５１と第二固定片６１とを有する。そして、図２に示すように、第一固定片５１の連結部５２と第二固定片６１の連結部６２により、第一固定部３より他端側Ｘ２で、支持部７に連結される。そして、第一固定片５１の当接部５３と第二固定片６１の当接部６３により、第一固定部３より他端側Ｘ２で、頭部管１０１を把持した状態で第一固定片５１の掛止部５４と第二固定片６１の掛止部６４とを結束具９１で結束することで、フルート１００に取付けられる。
【００３５】
第二固定部５が上述した構成であることにより、第一固定部３と同様に、演奏者は、掛止部５４と掛止部６４を結束具９１で結束するまでは、流路形成部２のフルート１００に対する周方向の位置を調節することができる。
そして、結束具９１を掛け止めると、掛止部５４と掛止部６４が結束される。これにより、フルート１００は、当接部５３と当接部６３により把持されて、第二固定部５は、フルート１００に固定されることができる。
また、第一固定部３と第二固定部５が上述した構成でフルート１００に取付けられることにより、フルート１００に流路形成部２を確りと取り付けることができる。
【００３６】
＜支持部７＞
次に、支持部７について説明する。
支持部７は、図１に示すように、流路形成部２の後側開口２４から吹き出された呼気が、適切な角度や量でエッジ１０４に吹き当てることができるように、流路形成部２を支持するためのものである。
具体的には、支持部７は、図４に示すように、流路形成部２を、その前側面２１と後側面２３を貫通する軸線Ｃと第一固定部３の連結部３２の上面３２Ａの角度θ１を所望の値とし、高さ方向Ｙの上面３２Ａから後ろ側面の中心までの高さＨを所望の値とした状態で、流路形成部２を第一固定部３と第二固定部５に繋げて支持する。
【００３７】
支持部７は、図３（ａ）に示すように、流路形成部２に対して、高さ方向Ｙの上側Ｙ１に配置される第一支持片７１と、高さ方向Ｙの下側Ｙ２に配置される第二支持片８１とを有している。
まず、第一支持片７１について説明し、次に、第二支持片８１について説明する。
【００３８】
＜第一支持片７１＞
第一支持片７１は、図１に示すように、長さ方向Ｘに長辺を有する板状に形成されている。
具体的には、図３（ａ）に示すように、一端側Ｘ１から他端側Ｘ２に、支持部７が第一固定部３と連結する際に連結部３２と当接する第一連結部７３と、第一連結部７３と繋がり流路形成部２の角度θ１や高さＨを調節するための第一調整部７５と、第一調整部７５と繋がり流路形成部２と当接する当接部７２と、当接部７２と繋がり第一調整部７５と同様に流路形成部２の角度θ１や高さＨを調節するための第二調整部７８と、第二調整部７８と繋がり支持体７が第二固定部５と連結する際に連結部５２と当接する第二連結部７６とを有する。
【００３９】
第一支持片７１は、図３（ａ）に示すように、長さ方向Ｘの中心を基準にして線対称になっている。そこで、第一連結部７３と第二連結部７６を一緒に説明し、第一調整部７５と第二調整部７８を一緒に説明する。
【００４０】
当接部７２は、図１に示すように、奥行方向Ｚの前側Ｚ１から後ろ側Ｚ２に向けて見たときに、図３（ａ）に示すように、円管状に形成された流路形成部２の上側Ｙ１の円周面と略等しい曲率で円周面状に形成されている。
当接部７２は、所望の高さＨで流路形成部２を支持するため、第一連結部７３及び第二連結部７６よりも高さ方向Ｙの上側Ｙ１に位置している。
当接部７２は、第二支持片８１の当接部８２と共に、流路形成部２を挟み込むことができる。
【００４１】
第一調整部７５は、図４に示すように、流路形成部２が角度θ１で支持されるように、第一連結部７３から角度θ１だけ周方向に捻じれている。
そして、第一調整部７５は、図３（ａ）に示すように、当接部７２と第一連結部７３を繋げるため、第一調整部７５から当接部７２に向けて、高さ方向Ｙの上側Ｙ１に伸びている。
第二調整部７８も、第一調整部７５と同様である。
【００４２】
第一連結部７３は、図３（ａ）に示すように、上面と下面を貫通する第一穴７４を有する。
第一穴７４は、後述する第二支持片８１の第一穴８４、第一固定部３の穴３５、第二固定片４１の穴４５と共に、後述するねじ９２を挿入できる第一挿入穴９４を形成する。
第二連結部７６も、第一連結部７３と同様に、上面と下面を貫通する第二穴７７を有する。
第二穴７７は、後述する第二支持片の第二穴８７、第二固定部５の第一固定片５１の穴５５、第二固定片６１の穴６５と共に、後述するねじ９２を挿入できる第二挿入穴９５を形成する。
【００４３】
＜第二支持片８１＞
第二支持片８１は、第一支持片７１と同じ構成要素を有している。
具体的には、第二支持片８１は、第一支持片７１と同様に、長さ方向Ｘに長辺を有する板状に形成されている。そして、図３（ａ）に示すように、一端側Ｘ１から他端側Ｘ２に、支持部８が第一固定部３と連結する際に連結部４２と当接する第一連結部８３と、第一連結部８３と繋がり流路形成部２の角度θ１や高さＨを調節するための第一調整部８５と、第一調整部８５と繋がり流路形成部２と当接する当接部８２と、当接部８２と繋がり第一調整部８５と同様に流路形成部２の角度θ１や高さＨを調節するための第二調整部８８と、第二調整部８８と繋がり支持体８が第二固定部５と連結する際に連結部６２と当接する第二連結部８６とを有する。
【００４４】
第二支持片８１も、第一支持片７１と同様に、長さ方向Ｘの中心を基準にして線対称になっている。そこで、第一連結部８３と第二連結部８６を一緒に説明し、第一調整部８５と第二調整部８８を一緒に説明する。
【００４５】
当接部８２は、図１に示すように、奥行方向Ｚの前側Ｚ１から後ろ側Ｚ２に向けて見たときに、図３（ａ）に示すように、円管状に形成された流路形成部２の下側Ｙ２の円周面と略等しい曲率で円周面状に形成されている。つまり、当接部８２は、その内周面が当接部７２の内周面と対向するように形成されている。
当接部８２は、所望の高さＨで流路形成部２を支持するため、第一連結部８３及び第二連結部８６よりも高さ方向Ｙの上側Ｘ１に位置している。
当接部８２と第一連結部８３の間隔は、当接部７２と第一連結部７３の間隔より、当接部８２と当接部７２で流路形成部２を把持できる程度に短い。
【００４６】
第一調整部８５は、図４に示すように、流路形成部２が角度θ１で支持されるように、第一連結部８３から角度θ１だけ、第一連結部７３と同じ方向に捻じれている。
そして、第一調整部８５は、図３（ａ）に示すように、当接部８２と第一連結部８３を繋げるため、第一調整部８５から当接部８２に向けて、高さ方向Ｙの上側Ｙ１に伸びている。
第二調整部８８も、第一調整部８５と同様である。
【００４７】
第一連結部８３は、上面と下面を貫通する第一穴８４を有する。
第二連結部８６も、第一連結部８３と同様に、第二穴８８を有する。
【００４８】
支持部７が上述した構成であることにより、演奏者は、第一支持片７１と第二支持片８１が第一固定部３と第二固定部５に連結されるまでは、流路形成部２を軸線Ｃに沿って、その前後方向に相互に移動させることができる。つまり、図４に示すように、流路形成部２の前側面２１とフルート１００のエッジ１０４の間の距離Ｌを調節することができる。
また、図３（ｂ）に示すように、第一支持片７１と第二支持片８１の高さ方向Ｙの上側Ｙ１への伸びの程度が異なる支持部７を用意することにより、支持部７を交換することで、高さHを調節することができる。さらに、ねじりの程度の異なる支持部７を用意することにより、支持部７を交換することで、角度θ１を調節することができる。
【００４９】
＜演奏補助具１の取付方法＞
次に、演奏補助具１をフルート１００の頭部管１０１に取付ける方法について説明する。なお、流路形成部２は、すでに支持部７により把持されているものとする。
【００５０】
まず、演奏者は、使用する演奏補助具１の第一固定部３と第二固定部５から結束具９１を外す。結束具９１を外すことにより、第一固定部３の掛止部３４と掛止部４４の高さ方向Ｙの間隔が、高さ方向Ｙに対抗する２つの当接部の間に頭部管１０１を配置させることができる程度に形成される。第二固定部５の掛止部５４と掛止部６４の高さ方向Ｙの間隔も同様である。
【００５１】
次に、演奏補助具１を、頭部管１０１に取付けられるように配置する。
具体的には、演奏補助具１を、第一固定部３が長さ方向Ｘの一端側Ｘ１に、第二固定部５が長さ方向Ｘの他端側Ｘ２に位置する状態で、第一固定部３の掛止部３４，４４と第二固定部５の掛止部５４，６４が頭部管１０１と対向するように配置する。
【００５２】
そして、流路形成部２の後側開口２４をリッププレート１０２の唄口１０３に近接させる。
具体的には、図１に示すように、頭部管１０１を、リッププレート１０２より一端側Ｘ１で第一固定部３の当接部３３と当接部４３の間に配置させ、リッププレート１０２より他端側Ｘ２で第二固定部５の当接部５３と当接部６３との間に配置させる。そして、演奏補助具１を周方向に動かして、演奏補助具１の周方向の位置を調節する。
【００５３】
次に、演奏補助具１を、頭部管１０１に取付けられる。
具体的には、第一固定部３の掛止部３４と掛止部４４を結束具９１で結束して、第二固定部５の掛止部５４と掛止部６４も結束具９１で結束する。これにより、演奏補助具１を頭部管１０１に取付けることができる。
【００５４】
＜演奏補助具１により奏する効果＞
次に、演奏補助具１により奏する効果について説明する。
演奏補助具１は、着脱可能にフルート１００に取付けることができる第一固定部３と第二固定部５を有する。これにより、演奏補助具１は、第一固定部３と第二固定部５により、安定した状態で、取付けられることができる。
また、取付けた後においても、結束具９１を外すことにより、流路形成部２のフルート１００に対する周方向の位置を調節することができる。これにより、演奏しやすいように流路形成部２の位置を調節することができるので、演奏者が初心者であっても、フルート１００を容易に演奏することができる。
【００５５】
また、フルート１００に演奏補助具１を取り付ける機構は、演奏補助具１側にのみ設けられている。このため、演奏補助具１は、演奏補助機能が予め設けられていない通常のフルート１００に取付けられることができる。そのため、補助具を使用するために新たに補助機能付きのフルートを用意する必要はなく、演奏者の負担を軽減することができる。また、演奏者は、演奏補助具１を外して、演奏補助具１がない状態で演奏することもできる。さらに、演奏者の使用するフルート１００を変える場合に、頭部管１０１の周面の形状に応じて第一固定部３と第二固定部５を変えるだけで、演奏補助具１を継続して使用することができる。
【００５６】
また、支持部７は、フルート１００の唄口１０３に演奏者の呼気を吹き付けられるように、流路形成部２が第一固定片３１の上面３２Ａから所定の角度θ１と高さＨで支持されるように形成されている。これにより、種々の支持部７を用意して、それらの支持部７から適宜選択することにより、所望の角度θ１と高さＨにすることができるので、より多くの演奏者に対応することができる。
【００５７】
さらに、支持部７が第一支持片７１と第二支持片８１を有していることにより、演奏者は、第一固定部３と第二固定部５に連結されるまでは、流路形成部２を軸方向Ｃに沿って、前後方向に相互に移動させることができる。つまり、図４に示すように、流路形成部２の前側面２１とフルート１００のエッジ１０４の間の距離Ｌを調節することができる。
【００５８】
〔第２実施形態〕
次に、本発明に係る演奏補助具の第２実施形態について説明する。なお、第１実施形態と同じ構成要素については、同じ符号を付してその説明を省略する。
【００５９】
本実施形態の演奏補助具１Bは、第１実施形態の演奏補助具１では支持部７により流路形成部２の角度θ１や高さＨを調節されて流路形成部２から吹き出された呼気がフルート１００のエッジ１０４に吹き付けられるようにしたのに対し、第一固定部３Bと第二固定部５Bにより、角度や位置が調節されている点で異なる。
【００６０】
本実施形態においても、第一固定部３Bと第二固定部５Bは、同じ構造を有しているので、第一固定部３Bを例として、第一固定部３Bと第二固定部５Bについて説明する。
第一固定部３Bは、図５（ａ）に示すように、フルート１００に対して、高さ方向Ｙの上側Ｙ１に配置される第一固定片３１Ｂと、高さ方向Ｙの下側Ｙ２に配置される第二固定片４１Ｂとを有する。さらに、第一固定片３１Ｂと第二固定片４１Ｂの奥行方向Ｚの後ろ側Ｄの端同士を結束する結束具９１と有する。
【００６１】
第一固定片３１Ｂは、図５（ａ）に示すように、フルート１００に取付けられた際に、フルート１００と当接している当接部３３Ｂと、第一固定片３１Ｂを支持部７に連結させるための連結部３２Ｂと、結束具９１を掛け止めさせるための掛止部３４Ｂとを有する。
第二固定片４１Ｂも、第一固定片３１Ｂと同様に、フルート１００に取付けられた際に、フルート１００と当接している当接部４３Ｂと、第二固定片４１Ｂを支持部７に連結させるための連結部４２Ｂと、結束具９１を掛け止めさせるための掛止部４４Ｂとを有する。
【００６２】
当接部３３Ｂと当接部４３Ｂは、図５（ａ）に示すように、リッププレート１０２の近傍の頭部管１０１の円周面と略等しい曲率で円周面状に形成されている。
当接部３３Ｂと当接部４３Ｂは、図５（ａ）に示すように、フルート１００の頭部管１０１を周方向で当接部３３Ｂよりも多く当接するように、形成されている。これにより、フルート１００に演奏補助具１Bを取り付けると、連結部３２Ｂの位置が、第１実施形態の演奏補助具１の連結部３２よりも高さ方向Ｙの上側Ｙ１に位置する。連結部４２も同様である。
【００６３】
連結部３２Ｂは、図５（ａ）に示すように、当接部３３Ｂに、連結部３２Ｂの上面と角度の掛止部３４Ｂの上面の間の角度θ２が所望の角度になるように傾いて繋がっている。
連結部４２Ｂも、当接部４３Ｂに、連結部３２Ｂと同じ角度θ２だけ傾いて繋がっている。
【００６４】
本実施形態においては、支持部７Ｂは、第１実施形態の支持部７が図３（ａ）に示すように高さ方向Ｙの上側Ｙ１に伸びているのに対して、図５（ｂ）に示すように、支持部７Ｂの第一支持片７１Ｂと第二支持片８１Ｂが同じ構造になっている。
【００６５】
本実施形態によれば、支持部７Ｂの第一支持片７１と第二支持片８１を同じ形状にすることができるので、部品点数を少なくすることができる。
【００６６】
〔第３実施形態〕
次に、本発明に係る演奏補助具の第３実施形態について説明する。なお、第１実施形態と同じ構成要素については、同じ符号を付してその説明を省略する。
【００６７】
本実施形態の演奏補助具１Ｃは、第１実施形態の演奏補助具１と同様に、流路形成部２と第一固定部３と第二固定部５を有するが、支持部７の代わりに支持部７Ｃを有する。
【００６８】
支持部７Ｃは、第１実施形態では、支持部７の第一支持片７１の調整部７５，７８と、第二支持片８１の調整部８５，８８が、図３（ａ）に示すように、各々の連結部７３，７６，８３，８６から当接部７２に向けて、高さ方向Ｙの上側Ｙ１に伸びているのに対して、図６に示すように、第一支持片７１Ｃの第一調整部７５Ｃと第二調整部７８Ｃ、及び第二支持片８１Ｃの第一調整部８５Ｃと第二調整部８８Ｃが、長さ方向Ｘに伸びている点で異なる。
第一調整部７５Ｃ及び第二調整部７８Ｃと、第一調整部８５Ｃ及び第二調整部８８Ｃは、平板状に形成されている。つまり、第一支持片７１Ｃと第二支持片８１Ｃは、周方向にねじれていない。
【００６９】
第一調整部７５Ｃの当接部７２Ｃは、第１実施形態の支持部７の当接部７１と同様に円周面状に形成されているが、支持部７よりもフルート１００を取り囲むことができるように形成されている。
一方、第二支持片８１Ｃの当接部８２Ｃは、第一調整部８５Ｃと同一平面状に形成されている。つまり、円周面状に形成されていない。
【００７０】
本実施形態によれば、支持部７Ｃを、支持部７や支持部７Ｂと比べて、簡単に製造することができる。
【００７１】
〔第４実施形態〕
次に、本発明に係る演奏補助具の第４実施形態について説明する。なお、第１実施形態と同じ構成要素については、同じ符号を付してその説明を省略する。
【００７２】
本実施形態の演奏補助具１Ｄは、第１実施形態の第一固定部３が、第一固定片３１と第二固定片４１とにより構成され、第二固定部５が第一固定片５１と第二固定片６１とにより構成されているが、図７に示すように、第一固定部３Ｄと第二固定部５Ｄのそれぞれが、奥行方向Ｚの後ろ側Ｚ２で繋がり一体に形成されている。つまり、第１実施形態のように、結束具９１を掛け止めるための一対の掛止部３４，４４と掛止部５４，６４が形成されていない。
【００７３】
本実施形態においては、第一固定部３Ｄと第二固定部５Ｄは、ボルト９６の先端にナット９３が取り付けられて、支持部７に連結されると、フルート１００に取付けられる。
なお、本実施形態では、ボルト９６を用いているが、これに限定されず、ピン、フック、面ファスナー、その他の連結手段を適宜選択して用いることができる。
【００７４】
本実施形態によれば、第一固定部３Ｄと第二固定部５Ｄを、それぞれ一体に製造することができるので、部品点数を少なくすることができる。
【００７５】
以上、本発明の演奏補助具について上述した第１〜第３実施形態を挙げて説明したが、本発明はこれに限定されない。例えば、上述した実施形態では、流路形成部２が第一固定部３と第二固定部５によりフルート１００に取付けられているが、本発明はこれに限定されない。例えば、演奏補助具が、第一固定部３，３Ｂと第二固定部５，５Ｂのどちらか一方のみを有していてもよい。
【００７６】
また、第一固定部３，３Ｂと第二固定部５，５Ｂの当接部３３のフルート１００と当接する面に、フルート１００を保護するための保護層を有していてもよい。
保護層を有する場合は、結束具９１を取り除かなくても、取付けられた状態で演奏補助具１を周方向に動かして、容易に流路形成部２の角度を調節することができる。
【００７７】
さらに、流路形成部２の側周面に、支持部７，７Ｂ，７Ｃに対して位置決めするための溝が形成されていてもよい。溝が形成されていることにより、流路形成部２を、後側面２３とフルート１００のエッジ１０４の間の距離Ｌが所定の値になるように設置することができる。
【００７８】
また、第１〜第３実施形態において、エアリード楽器としてフルート１００を用いて説明したが、エアリード楽器はフルートに限定されない。ファイフ、ピッコロ、フルートなどその他のエアリード楽器にも用いることができる。
【産業上の利用可能性】
【００７９】
本発明は、以上のように構成したので、演奏補助機能を有していないエアリード楽器に取付けることができ、演奏スキルの乏しい演奏者がエアリード楽器を演奏することを補助することができる。
【符号の説明】
【００８０】
１，１Ｂ，１Ｃ，１Ｄ      演奏補助具
２      流路形成部
２１    前側面
２２    前側開口
２３    後側面
２４    後側開口
２５    呼気流路
３      第一固定部
３１    第一固定片
３２    連結部
３２Ａ  上面
３３    当接部
３４    掛止部
３５    穴
４１    第二固定片
４２    連結部
４３    当接部
４４    掛止部
４５    穴
５      第二固定部
５１    第一固定片
５２    連結部
５３    当接部
５４    掛止部
５５    穴
６１    第二固定片
６２    連結部
６３    当接部
６４    掛止部
６５    穴
７      支持部
７１    第一支持片
７２    当接部
７３    第一連結部
７４    第一穴
７５    第一調整部
７６    第二連結部
７７    第二穴
７８    第二調整部
８１    第二支持片
８２    当接部
８３    第一連結部
８４    第一穴
８５    第一調整部
８６    第二連結部
８７    第二穴
８８    第二調整部
９１    結束具
９２    ねじ
９３    ナット
９４    第一挿入穴
９５    第二挿入穴
９６    ボルト
１００  フルート
１０１  頭部管
１０２  リッププレート
１０３  唄口
１０４  エッジ
１０５  胴部管
１０６  キイ
１０７  足部管
１０８  キイ
Ｃ      軸線
θ１      角度
θ２      角度
Ｈ      高さ
Ｘ      長さ方向
Ｘ１    一端側
Ｘ２    他端側
Ｙ      高さ方向
Ｙ１    上側
Ｙ２    下側
Ｚ      奥行方向
Ｚ１    前側
Ｚ２    後ろ側
【図１】
2019124836.tif 000003
【図２】
2019124836.tif 000004
【図３】
2019124836.tif 000005
【図４】
2019124836.tif 000006
【図５】
2019124836.tif 000007
【図６】
2019124836.tif 000008
【図７】
2019124836.tif 000009
【図８】
2019124836.tif 000010
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
エアリード楽器の唄口を挟んで頭部管に回転調節可能並びに軸方向へスライド調節可能に取り付けられるそれぞれ上下一対の第１固定部及び第２固定部と、
前記第１固定部と前記第２固定部に取り付けられた上下一対の第１支持片と第２支持片から成る支持部と、
この支持部の前記第１支持片と第２支持片との間に挟持されて設けられたところの後側開口を前記唄口に臨ませて設けられた流路形成部と、
で構成したことを特徴とする、エアリード楽器の演奏補助具。
【請求項２】
前記固定部は、前記エアリード楽器と当接する面に保護層を有することを特徴とする、請求項１に記載のエアリード楽器の演奏補助具。
【請求項３】
前記固定部は、前記流路形成部が所定の角度と高さで支持されるように形成されていることを特徴とする、請求項１〜請求項２のいずれか１項に記載のエアリード楽器の演奏補助具。
【請求項４】
前記支持部は、前記流路形成部が前記固定部から所定の角度と高さで支持されるように形成されていることを特徴とする、請求項１〜請求項３のいずれか１項に記載のエアリード楽器の演奏補助具。